(57)【要約】【課題】  釣り竿等の転がりを阻止し、着脱操作の容易な口栓を提供する。【解決手段】  元竿の竿先端側開口に内嵌される手元側竿体用内嵌部５Ｂと摘まみ操作部５Ａとを備え、手元竿体用内嵌部５Ｂの外周面を円形断面に形成するとともに、摘まみ操作部５Ａを楕円形断面に形成してある。【選択図】        図２
2007195402.tif 000002
【特許請求の範囲】
【請求項１】
手元側竿体の竿先端側開口に内嵌される手元側竿体用内嵌部と摘まみ操作部とを備えた栓体であって、
前記手元側竿体用内嵌部の外周面を円形断面に形成するとともに、前記摘まみ操作部を非円形断面に形成してある栓体。
【請求項２】
前記非円形断面が楕円形断面である請求項1記載の栓体。
【請求項３】
前記栓体が、小径側竿体を大径の前記手元側竿体内に収納した状態でその手元側竿体の竿先端側開口に装着されるものである請求項1又２記載の釣り竿用の口栓。
【請求項４】
前記口栓を備えた請求項３記載の釣り竿。
【発明の詳細な説明】
【技術分野】
【０００１】
本発明は、複数本の竿体を伸縮可能に備える振出式の渓流竿、又は、振出式の玉の柄等に使用されるものであって、手元側竿体の竿先端側開口に内嵌される手元側竿体用内嵌部と摘まみ操作部とを備えた栓体に関する。
【背景技術】
【０００２】
上記渓流竿、及び、玉の柄においては、一番竿体を含む複数本の小径側竿体を手元側竿体の中に収納した状態で栓体を手元側竿体の竿先側開口内に内嵌させて、手元側竿体内に収納した一番竿体等が脱出することを阻止する構成を採っている。
ところで、前記手元側竿体の竿先側開口内に栓体を装着した場合に、手元側竿体用内嵌部は竿先側開口内に位置するが、摘まみ操作部は竿先より外部に露出することとなる。
また、その摘まみ操作部は外周面が円形断面を呈している（特許文献１参照）。
【０００３】
【特許文献１】実開平５−２６７２号公報（図２）
【発明の開示】
【発明が解決しようとする課題】
【０００４】
上記した構成においては、栓体の摘まみ操作部の断面形状が円形である。
そうすると、石に持たれ置きする際や、壁に立てかける際や、平らな面に置く際に釣り竿等がコロガリ易くなり、釣り竿を傷めることがある。
また、栓体を取外す場合に、その栓体を握っても滑りやすく、操作性の悪い面があった。
【０００５】
本発明の目的は、釣り竿等の転がりを阻止し、着脱操作の容易な栓体を提供する点にある。
【課題を解決するための手段】
【０００６】
〔構成〕
請求項１に係る発明の特徴構成は、手元側竿体の竿先端側開口に内嵌される手元側竿体用内嵌部と摘まみ操作部とを備えた栓体であって、
前記手元側竿体用内嵌部の外周面を円形断面に形成するとともに、前記摘まみ操作部を非円形断面に形成してある点にあり、その作用効果は次の通りである。
【０００７】
〔作用〕
手元側竿体の先端内周面に内嵌する手元側竿体用内嵌部の外周面は手元側竿体の竿先端の開口形状に合わせて円形断面に形成してあるが、手元側竿体の竿先端の開口から外部に突出する摘まみ操作部は、非円形断面に形成してある。
したがって、手元側竿体に栓体を装着した状態で、摘まみ操作部を地面に載置して石に持たれ置きする場合や、壁に立てかける場合、或いは、傾斜地において手元側竿体を寝かせ置きする場合であっても、摘まみ操作部が踏ん張って転がることはない。
また、栓体を手元側竿体に装着する場合や取外す場合においても、摘まみ操作部が非円形断面形状を呈するので、この非円形断面部を握って着脱操作を行う場合に、手が滑り難く、着脱操作が容易である。
【０００８】
〔効果〕
このように、転がり難い釣り竿等を得るのに、栓体の摘まみ操作部に対して断面形状を非円形にするだけの簡単な改造を施すだけでよく、その改造によって、摘まみ操作部の着脱操作をも容易なものとできた。
【０００９】
請求項２に係る発明の特徴構成は、請求項１にかかる発明において、前記非円形断面が楕円形断面である点にあり、その作用効果は次の通りである。
【００１０】
〔作用効果〕
非円形断面の一つとして、楕円形断面を採用したものであり、作用効果は請求項１に係る発明と同じである。
【００１１】
請求項３に係る発明の特徴構成は、請求項２に係る発明において、前記栓体が、小径側竿体を大径の前記手元側竿体内に収納した状態でその手元側竿体の竿先端側開口に装着される点にあり、その作用効果は次の通りである。
【００１２】
〔作用効果〕
つまり、栓体は、手元側竿体内に元上から穂先竿までの小径側竿体を収納した状態で、その手元側竿体の先端開口に手元側竿体用内嵌部を内嵌されることによって、手元側竿体内に収納した元上から穂先竿までの竿体が抜け出すことを阻止するものである。また、収納した元上から穂先竿までの竿体を引き出す場合には、栓体の摘まみ操作部を握った状態で手元側竿体用内嵌部を引き出すことによって、手元側竿体の先端開口を開放できる。
【００１３】
請求項４に係る発明の特徴構成は、前記口栓は釣り竿に装備されるものである点にあり、その作用効果は次の通りである。
【００１４】
〔作用効果〕
釣り竿にこのような口栓を設けてあるので、釣り場を移動する場合には、穂先竿から元上までの小径側竿体を手元側竿体内に収納し口栓を手元側竿体の先端開口に装着して開口を閉塞することができるので、収納された元上等が抜け出すことに意を配することがなく、携行が容易な釣り竿を提供できるに至った。
【発明を実施するための最良の形態】
【００１５】
〔第１実施形態〕
振出式の渓流竿Ａについて説明する。
振出式の渓流竿Ａは、図１に示すように、穂先竿１、二番竿体２、元上３からなる小径側竿体と、手元側竿体としての元竿４とを備えて、構成されている。穂先竿１の先端には、釣り糸ａを連結する為のリリアン式糸連結具６を取り付けてあり、穂先竿１の先端開口を閉塞する為に、栓体としての口栓５を装備して構成してある。
渓流竿Ａは、図１に示すように、穂先竿１、二番竿２、元上３を元竿４内に収納する収縮状態と、図に示してはいないが、穂先竿１、二番竿体２、元上３を元竿４より引き出した伸長状態とに切換可能に構成されている。
【００１６】
穂先竿１等の各竿体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００１７】
口栓５の構成について説明する。
図１に示すように、口栓５は、その外周面に、前端側から後端側に掛けて、摘まみ操作部５Ａと、手元側竿体用内嵌部５Ｂと、小径逃げ部５Ｃとを形成して構成されている。口栓５の穂先竿１に向う面には、穂先竿１の先端に取り付けられたリリアン式の糸連結部材６との干渉を回避する為の凹入部５Ｄが形成されている。
【００１８】
摘まみ操作部５Ａは、その外周面が非円形断面に形成してあり、摘まみ操作部５Ａを地面に載置して石に持たれ置きする場合等であっても、摘まみ操作部５Ａが踏ん張って転がることはない。
また、口栓５を元竿４に装着する場合や取外す場合においても、摘まみ操作部５Ａが非円形断面形状を呈するので、この非円形断面部を握って着脱操作を行う場合に、手が滑り難く、着脱操作が容易である。
非円形断面の具体的形状としては、図２（ロ）に示すように、円形を基本とし、１８０°対角位置に、略矩形の突出部５Ｅ、５Ｅを形成して、非円形形状を形成している。
【００１９】
口栓５はゴム製のものであり、アクリロニトリルーブタジエンゴム（ＮＢＲ）を材料とし、硬度としてはＪＩＳ硬さとして３０〜９０のものを使用できる。但し、このゴムに相当する硬度を有するものであれば、合成樹脂を材料とすることもできる。
【００２０】
〔第２実施形態〕
振出式の玉の柄Ｃに使用される口ゴム１０について説明する。
振出式の玉の柄Ｃは、図３に示すように、一番竿体１と、二番竿体２、三番竿体３、手元側竿体４とを備えて、構成されている。一番竿体１には栓体としての口ゴム１０を装備して設けてある。
玉の柄Ｃは、図３に示すように、一番竿体１、二番竿体２、三番竿体３からなる小径側竿体を手元側竿体４内に収納する収縮状態と、図示してはいないが、一番竿体１、二番竿体２、三番竿体３を手元側竿体４より引き出した伸長状態とに切換可能に構成されている。
【００２１】
一番竿体１の先端には、魚を掬い取るタモ網が取付られる。その取り付け構造を説明する。図３及び図４に示すように、タモ網は、網本体７と枠体８とからなり、枠体８に一番竿体１への装着部８Ａが装備されている。装着部８Ａには雄ネジ軸８ａが突設されている。
一方、図４に示すように、一番竿体１の先端内には取付用スリーブ９が嵌め込み固定してあり、その取付用スリーブ９の内周面に雌ネジ部９ａが形成されている。
以上のようなネジ部構造によって、タモ網の雄ネジ軸８ａを取付用スリーブ９の雌ネジ部９ａに螺合させることによって、タモ網を玉の柄Ｃに取り付けることができる。
【００２２】
口ゴム１０と一番竿体１との取り付け構造について説明する。図４及び図５に示すように、口ゴム１０は、その外周面に、前端側から後端側に掛けて、大径の摘まみ操作部１０Ａと、手元側竿体用内嵌部１０Ｂと、小径逃げ部１０Ｃとを形成して構成されている。口ゴム１０の内周面には、一番竿体１の竿先端部の外周面１Ａを外嵌保持する貫通孔状の摩擦保持部１０Ｄが形成されている。
【００２３】
図４及び図５に示すように、手元側竿体用内嵌部１０Ｂから小径逃げ部１０Ｃまでには、突条１０ａが竿軸線に沿った姿勢で、円周方向に沿って複数個形成されている。
突条１０ａは、断面矩形に形成され、先端側の幅寸法と基端側の幅寸法とを同一または略同一の長さのものに設定し幅寸法より高さ寸法を高くしてあるので、突条１０ａが手元側竿体４の竿先側開口の内周面に当接した場合に、その内周面より押さえ荷重を受けて圧縮されるだけでなく、長柱のように倒れを生じ易くなっている。
このように、倒れを生じ易くなっているので、竿先側開口の内径が異なる手元側竿体４にも、この口ゴム１０を使用することが可能になる。
【００２４】
図５に示すように、摘まみ操作部１０Ａは、その外周面が非円形断面に形成してある。非円形断面の具体的形状としては、口栓５と同様である。口ゴム１０はゴム製のものであり、アクリロニトリルーブタジエンゴム（ＮＢＲ）を材料とし、硬度としてはＪＩＳ硬さとして３０〜９０のものを使用できる。但し、このゴムに相当する硬度を有するものであれば、合成樹脂を材料とすることもできる。
【００２５】
突条１０ａの設置個数としては、手元側竿体４の竿先端開口径に応じて増加する方向に変動するが、総じて、１２〜６０個の中から選択することができる。
また、突条１０ａの幅寸法としては、０．５ｍｍ〜２．０ｍｍ程度のものを選択し、高さとしては１ｍｍ〜１０ｍｍ程度のものを選択することができる。
【００２６】
一番竿体１にタモ網を取り付けた際には、タモ網の装着部８Ａの側面８ｂを、口ゴム１０の前面１０ｄに当接させている。口ゴム１０は前記したようにゴム製でありその弾性変形性により軸線方向に圧縮される。これによって、口ゴム１０はタモ網と一番竿体１とに離間する方向の力を作用させるところから、タモ網側のネジ軸８ａとスリーブ９との螺合状態を維持する機能を発揮することになる。
【００２７】
玉の柄Ｃは振出竿式のものであるので、各竿体を伸長させた使用状態から各竿体を短縮させた状態とに切り換えられるものであるが、図４に示すように収縮状態に設定すると、手元側竿体４の竿先端開口が口ゴム１０の手元側竿体用内嵌部１０Ｂに外嵌し、その収縮状態を維持するようになっている。
【００２８】
〔別実施の形態〕
（１）  口ゴム１０としては、特に、突条１０ａを設けなくてもよい。
（２）  口栓５または口ゴム１０の摘まみ操作部５Ａ，１０Ａの外周面における断面形状としては、図６に示すように、楕円形状を呈してもよく、又は、図７に示すように、略三角形に近い形状を呈してもよい。
【図面の簡単な説明】
【００２９】
【図１】渓流竿用口栓と小径側竿体を手元側竿体内に収納した状態を示し、（イ）は口栓を手元側竿体に取り付ける前の状態を示す縦断側面図、（ロ）は口栓を手元側竿体に取り付けた状態を示す縦断側面図
【図２】口栓を示し、（イ）は縦断側面図、（ロ）は正面図
【図３】玉網を玉の柄に取り付ける前の状態を示す斜視図
【図４】口ゴムを一番竿体に取り付けた状態を示す縦断側面図
【図５】口ゴムを示し、（イ）は縦断側面図、（ロ）は正面図
【図６】口栓、口ゴムの別実施形態を示す正面図
【図７】口栓、口ゴムの別実施形態を示す正面図
【符号の説明】
【００３０】
１              口栓（一番竿体）
４              手元側竿体
５，１０        栓体（口ゴム、口栓）
５Ａ，１０Ａ    摘まみ操作部
５Ｂ，１０Ｂ    手元側竿体用内嵌部
【図１】
2007195402.tif 000003
【図２】
2007195402.tif 000004
【図３】
2007195402.tif 000005
【図４】
2007195402.tif 000006
【図５】
2007195402.tif 000007
【図６】
2007195402.tif 000008
【図７】
2007195402.tif 000009